(57)【要約】本発明のチケット発行システムは、ユーザの携帯電話機と役務提供者の認証端末装置とそれぞれ通信可能に構成されたチケット発行サーバと、所定の識別情報がデジタルデータとして記録された電子媒体と、ユーザに提供される役務の内容、前記所定の識別情報及び所定のメールアドレスが印刷された印刷媒体と、から構成されるチケット媒体と、を備え、前記チケット発行サーバは、前記所定の識別情報とユーザの個人情報とを対応付けて格納する第１の記憶手段と、チケットの購入に付随して提供されるノベルティとしてのノベルティデータを格納する第２の記憶手段と、を備える。
2004109605.tif 000002
【特許請求の範囲】
【請求項１】
ユーザの携帯電話機と役務提供者の認証端末装置とそれぞれ通信可能に構成されたチケット発行サーバと、
所定の識別情報がデジタルデータとして記録された電子媒体と、ユーザに提供される役務の内容、前記所定の識別情報及び所定のメールアドレスが印刷された印刷媒体と、から構成されるチケット媒体と、を備えるチケット発行システムであって、
前記チケット発行サーバは、
前記所定の識別情報とユーザの個人情報とを対応付けて格納する第１の記憶手段と、
チケットの購入に付随して提供されるノベルティとしてのノベルティデータを格納する第２の記憶手段と、
前記ユーザの携帯電話機から前記印刷媒体に印刷された所定のメールアドレスを宛先とする第１の電子メールを受信すると、前記チケット発行サーバのネットワーク上の位置を示す位置情報を含む第２の電子メールを前記第１の電子メールの発信元であるユーザのメールアドレスに対して送信し、前記ユーザによって前記位置情報が指示されることにより前記ユーザの携帯電話機から送信される所定の要求を受信した場合に、前記印刷媒体に印刷された所定の識別情報及びユーザの個人情報を入力するための登録フォームを前記ユーザの携帯電話に送信し、前記ユーザによって前記所定の識別情報及びユーザの個人情報が入力されることにより前記ユーザの端末装置から送信される登録フォームを受信した場合に、前記第１の記憶手段に前記登録フォームに入力された所定の識別情報と前記ユーザの個人情報とを対応付けて格納する登録手段と、
前記認証端末装置から前記電子媒体に記録された所定の識別情報を受信すると、前記第１の記憶手段を参照して前記受信した所定の識別情報が有効であるか否かを判定し、その判定結果を前記認証端末装置へ送信する認証手段と、
予め設定された所定の条件に合致するノベルティデータを前記第２の記憶手段から読み出して前記ユーザのメールアドレスに対して送信するノベルティ送信手段と、を備え、
前記電子媒体は、該電子媒体を携帯電話機に取り付けるための取付手段を備えることを特徴とするチケット発行システム。
【請求項２】
前記認証手段は、前記受信した所定の識別情報に対応するユーザの個人情報が前記第１の記憶手段に登録されている場合に、前記受信した所定の識別情報が有効であると判定することを特徴とする請求項１記載のチケット発行システム。
【請求項３】
前記電子媒体は、前記電子媒体を携帯電話機に貼付する貼付手段を備えることを特徴とする請求項１記載のチケット発行システム。
【請求項４】
前記電子媒体は、携帯電話機用のアクセサリに設けられていることを特徴とする請求項１記載のチケット発行システム。
【請求項５】
ユーザの携帯電話機と役務提供者の認証端末装置と通信可能に構成されたチケット発行サーバと、
所定の識別情報がデジタルデータとして記録された電子媒体であって該電子媒体を携帯電話機に取り付けるための取付手段を備えた電子媒体と、ユーザに提供される役務の内容、前記所定の識別情報及び所定のメールアドレスが印刷された印刷媒体と、から構成されるチケット媒体と、を備えるチケット発行システムにおけるチケット発行方法であって、
前記チケット発行サーバは、
前記ユーザの携帯電話機から前記印刷媒体に印刷された所定のメールアドレスを宛先とする第１の電子メールを受信すると、前記チケット発行サーバのネットワーク上の位置を示す位置情報を含む第２の電子メールを前記第１の電子メールの発信元であるユーザのメールアドレスに対して送信し、前記ユーザによって前記位置情報が指示されることにより前記ユーザの携帯電話機から送信される所定の要求を受信した場合に、前記印刷媒体に印刷された所定の識別情報及びユーザの個人情報を入力するための登録フォームを前記ユーザの携帯電話に送信し、前記ユーザによって前記所定の識別情報及びユーザの個人情報が入力されることにより前記ユーザの端末装置から送信される登録フォームを受信した場合に、第１の記憶手段段に前記登録フォームに入力された所定の識別情報と前記ユーザの個人情報とを対応付けて格納する登録工程と、
前記ユーザの個人情報が登録されると、チケットの購入に付随して提供されるノベルティとしてのノベルティデータを格納する第２の記憶手段から、予め設定された所定の条件に合致するノベルティデータを読み出して前記ユーザのメールアドレスに対して送信するノベルティ送信工程と、
前記認証端末装置から前記電子媒体に記録された所定の識別情報を受信すると、前記第１の記憶手段を参照して前記受信した所定の識別情報が有効であるか否かを判定し、その判定結果を前記認証端末装置へ送信する認証工程と、
を実行することを特徴とするチケット発行方法。
【発明の詳細な説明】
【技術分野】  本発明は、電子媒体を発行するシステムの技術にかかり、特に、電子媒体の発行とこの電子媒体に関連するノベルティデータを提供するシステムの技術に関する。
【背景技術】  近年、各種決済情報やチケット、プリペイドカードなどの価値をデジタル化して流通させるチケッティング・システムが知られている。このような技術として、例えば、バーコードを利用したものがある。これは、決済情報を示すバーコードを携帯型情報端末にダウンロードさせ、携帯型情報端末がこのバーコードを店舗に設置されたバーコードリーダに読み取らせることで、所定の決済を行うというものである（特開２００１−５８８３号を参照）。また、決済情報やチケットなどの価値を記録したＩＣカードを利用したチケットの予約、支払、改札などを処理するサービスも登場している。
ところで、近年、イベントの主催者の販売促進や顧客管理の観点から、急速なチケッティング・システムの変革が期待されている。そして、このような各イベントや興行の開催においては、ファンや来場者に存在する普遍的なニーズである「楽しみたい」という要求を満たすことが重要である。よって、イベントや興行に関するチケッティング・システムは、単にチケットの価値をデジタル化して発行するだけでは十分ではなく、ユーザをさらに楽しませるための付加価値を、チケットに与えることが必要とされている。
また、例えばバーコードを利用してチケットを提供する場合には、チケットを購入したユーザを携帯電話機を介して特定することができるというメリットがあるものの、デジタル化されたチケットの模造や捏造を防止することが困難であるというデメリットがある。一方、ＩＣカードを利用してチケットを提供する場合には、チケットの安全性は確保しやすいというメリットがあるものの、チケットを購入したユーザの特定が困難であるというデメリットがある。
そこで、本願発明の目的は、デジタル化されたチケットにユーザを楽しませるための付加価値を与えることができる新しいチケッティング・システムを実現することである。
また、本願発明の他の目的は、デジタル化されたチケットの安全性を維持するとともにチケットを購入したユーザの特定を可能にすることができる新しいチケッティング・システムを実現することである。
【発明の開示】
上記課題を解決するための発明は、以下のように特定される。
本発明は、ユーザの携帯電話機と役務提供者の認証端末装置とそれぞれ通信可能に構成されたチケット発行サーバと、所定の識別情報がデジタルデータとして記録された電子媒体と、ユーザに提供される役務の内容、前記所定の識別情報及び所定のメールアドレスが印刷された印刷媒体と、から構成されるチケット媒体と、を備えるチケット発行システムであって、前記チケット発行サーバは、前記所定の識別情報とユーザの個人情報とを対応付けて格納する第１の記憶手段と、チケットの購入に付随して提供されるノベルティとしてのノベルティデータを格納する第２の記憶手段と、前記ユーザの携帯電話機から前記印刷媒体に印刷された所定のメールアドレスを宛先とする第１の電子メールを受信すると、前記チケット発行サーバのネットワーク上の位置を示す位置情報を含む第２の電子メールを前記第１の電子メールの発信元であるユーザのメールアドレスに対して送信し、前記ユーザによって前記位置情報が指示されることにより前記ユーザの携帯電話機から送信される所定の要求を受信した場合に、前記印刷媒体に印刷された所定の識別情報及びユーザの個人情報を入力するための登録フォームを前記ユーザの携帯電話に送信し、前記ユーザによって前記所定の識別情報及びユーザの個人情報が入力されることにより前記ユーザの端末装置から送信される登録フォームを受信した場合に、前記第１の記憶手段に前記登録フォームに入力された所定の識別情報と前記ユーザの個人情報とを対応付けて格納する登録手段と、前記認証端末装置から前記電子媒体に記録された所定の識別情報を受信すると、前記第１の記憶手段を参照して前記受信した所定の識別情報が有効であるか否かを判定し、その判定結果を前記認証端末装置へ送信する認証手段と、予め設定された所定の条件に合致するノベルティデータを前記第２の記憶手段から読み出して前記ユーザのメールアドレスに対して送信するノベルティ送信手段と、を備え、前記電子媒体は、該電子媒体を携帯電話機に取り付けるための取付手段を備えることを特徴とするチケット発行システム。
また、前記認証手段は、前記受信した所定の識別情報に対応するユーザの個人情報が前記第１の記憶手段に登録されている場合に、前記受信した所定の識別情報が有効であると判定することを特徴とする。
また、前記電子媒体は、前記電子媒体を携帯電話機に貼付する貼付手段を備えることを特徴とする。
また、前記電子媒体は、携帯電話機用のアクセサリに設けられていることを特徴とする。
また、本発明は、ユーザの携帯電話機と役務提供者の認証端末装置と通信可能に構成されたチケット発行サーバと、所定の識別情報がデジタルデータとして記録された電子媒体であって該電子媒体を携帯電話機に取り付けるための取付手段を備えた電子媒体と、ユーザに提供される役務の内容、前記所定の識別情報及び所定のメールアドレスが印刷された印刷媒体と、から構成されるチケット媒体と、を備えるチケット発行システムにおけるチケット発行方法であって、前記チケット発行サーバは、前記ユーザの携帯電話機から前記印刷媒体に印刷された所定のメールアドレスを宛先とする第１の電子メールを受信すると、前記チケット発行サーバのネットワーク上の位置を示す位置情報を含む第２の電子メールを前記第１の電子メールの発信元であるユーザのメールアドレスに対して送信し、前記ユーザによって前記位置情報が指示されることにより前記ユーザの携帯電話機から送信される所定の要求を受信した場合に、前記印刷媒体に印刷された所定の識別情報及びユーザの個人情報を入力するための登録フォームを前記ユーザの携帯電話に送信し、前記ユーザによって前記所定の識別情報及びユーザの個人情報が入力されることにより前記ユーザの端末装置から送信される登録フォームを受信した場合に、第１の記憶手段段に前記登録フォームに入力された所定の識別情報と前記ユーザの個人情報とを対応付けて格納する登録工程と、前記ユーザの個人情報が登録されると、チケットの購入に付随して提供されるノベルティとしてのノベルティデータを格納する第２の記憶手段から、予め設定された所定の条件に合致するノベルティデータを読み出して前記ユーザのメールアドレスに対して送信するノベルティ送信工程と、前記認証端末装置から前記電子媒体に記録された所定の識別情報を受信すると、前記第１の記憶手段を参照して前記受信した所定の識別情報が有効であるか否かを判定し、その判定結果を前記認証端末装置へ送信する認証工程と、を実行することを特徴とするチケット発行方法。
上記、物の発明は方法の発明として把握することができ、方法の発明は物の発明として把握することができる。また、上記発明は、コンピュータに所定の機能を実現させるプログラムを記録した記録媒体またはプログラム製品としても成立する。なお、前記記録媒体とは、例えば、ハードディスク（ＨＤ）、ＤＶＤ−ＲＡＭ、フレキシブルディスク（ＦＤ）やＣＤ−ＲＯＭ等のほかに、ＲＡＭやＲＯＭ等のメモリを含む。また、前記コンピュータとは、例えば、ＣＰＵやＭＰＵといったいわゆる中央処理装置がプログラムを解釈することで所定の処理を行う、いわゆるマイクロコンピュータ等をも含む。
なお、本明細書において、手段とは、単に物理的手段を意味するものではなく、その手段が有する機能をソフトウェアによって実現する場合やハードウェア回路によって実現する場合も含む。また、１つの手段が有する機能が２つ以上の物理的手段により実現されても、２つ以上の手段の機能が１つの物理的手段により実現されても良い。
【図面の簡単な説明】  図１は、本発明に係るノベルティチケット発行システムの概要を説明するための図である。
図２は、本発明に係るチケットの構成を示す図である。
図３は、ノベルティチケット管理サーバにおける電子媒体登録手段またはノベルティ配信手段の制御プログラムの処理内容の概要を表したフローチャートである。
図４は、管理データベース３０１のデータ構造を説明するための図である。
図５は、ユーザデータベース３０２のデータ構造を説明するための図である。
図６は、ノベルティデータベース３０３のデータ構造を説明するための図である。
図７は、ノベルティデータを受信した携帯端末機１０の画面の一例を示す図である。
図８は、ノベルティチケット管理サーバにおける電子媒体認証手段またはノベルティ配信手段の制御プログラムの処理内容の概要を表したフローチャートである。
【発明を実施するための最良の形態】  次に、本発明の実施の形態について、図面を参照しつつ説明する。
［第１の実施形態］
まず、本発明に係るノベルティチケット発行システムの概要を説明する。図１は、本ノベルティチケット発行システムの概要を示す図である。同図に示すように、本ノベルティチケット発行システムは、ユーザにより操作される携帯端末機１０、所定の役務と該役務に関する付加価値としてのデジタルノベルティが提供されるノベルティ付きチケット２０、電子媒体の登録処理やデジタルノベルティの配信処理を行うノベルティチケット管理サーバ３０、および、所定の役務を提供する場所に設置されノベルティ付きチケットの認証処理を行なう認証端末装置４０を備える。ノベルティチケット管理サーバ３０は、ユーザ携帯端末機１０とパケット網５０及びゲートウェイ６０を介して通信可能に接続されるとともに、認証端末装置４０と所定の通信網７０を介して通信可能に接続される。
携帯端末機１０は、他の電話機と通話を行なう通話機能に加えてインターネットへの接続機能や、電子メールを扱うためのメールビューワ、ＷＷＷを扱うためのＷｅｂブラウザなどのアプリケーションソフトウェアが実装される。ノベルティ付きチケット２０は、所定の識別情報が電子的に記録された電子媒体２００と、この電子媒体に記録された所定の識別情報が印刷された印刷媒体２０１と、を備えている。
ノベルティチケット管理サーバ３０は、電子媒体やデジタルノベルティに関する情報を管理する管理データベース３０１と、ユーザの登録情報を格納するユーザデータベース３０２と、デジタルノベルティとして提供する各種ノベルティ情報を格納するノベルティデータベース３０３とを備え、これらのデータベースにアクセス可能に構成されている。これらデータベースの詳細については後述する。ノベルティチケット管理サーバ３０は、携帯端末機１０との間で所定の通信プロトコルに従う通信手段を備え、上記各データベースを参照することにより後述する電子媒体の登録処理やデジタルノベルティの提供処理を実行する。また、ノベルティチケット管理サーバ３０は、認証端末装置４０との間で所定の通信プロトコルに従う通信手段を備え、上記各データベースを参照することにより、認証端末装置４０に提示された電子媒体２００が有効か否かを認証する認証処理を実行する。なお、このようなノベルティチケット管理サーバ３０は、図示しないＣＰＵを有しており、ＲＯＭなどの所定の記憶装置に格納された制御プログラムに基づいて各種制御を実行する。
認証端末装置４０は、電子媒体２００が保有する識別情報を読み取る読取手段と、ノベルティチケット管理サーバ３０との間で所定の通信プロトコルに従う通信を行う通信手段を備える。このような認証端末装置４０は、図示しないＣＰＵを有しており、ＲＯＭなどの所定の記憶装置に格納された制御プログラムに基づいて各種制御を実行する。
ここで、このように構成されるノベルティチケット発行システムの動作の概要を、同図を用いて説明する。まず、チケット２０を用いて各種の役務（サービス）の提供を行なおうとする役務提供企業や、その役務提供企業をサポートする各種協賛企業は、役務（例えばイベント）開始前にあらかじめ店頭などで不特定多数のユーザに向けてチケット２０を配布する。ユーザは、これによりチケット２０を入手する（図１（１））。このチケット２０の配布は、典型的には、イベント開催を認知してもらうためのプロモーションとして行なわれる。そしてチケット２０は、電子媒体２００や印刷媒体２０１に記録された所定の識別情報によって一意的に特定されることで商品価値を有するものであるが、この配布時点では何ら商品価値（有料役務提供義務）を有しておらず、後述するノベルティチケット管理サーバ３０への登録処理をユーザが行った場合に、商品価値を有することになる。
ここで、チケット２０の構成について図２を用いて説明する。図２（Ａ）に示すように、チケット２０は、所定の識別情報が電子的に記録され、ユーザが役務を享受する際に役務提供者の認証端末装置４０に提示する電子媒体２００と、所定の識別情報と役務の内容が印刷された印刷媒体２０１と、を備える。
電子媒体２００は、所定の識別情報をデジタルデータとして記録する記録媒体としてのＩＣチップやアンテナが内部に埋め込まれており、このＩＣチップがアンテナを利用して外部の端末と無線通信を行うことによりデータを送受信するいわゆる非接触式ＩＣカードである。ＩＣチップには、例えばチケット２０の製造時に割り付けられた固有のシリアルナンバーが、各ＩＣチップを識別するための所定の識別情報（以下、「ＩＣ識別情報」という）として、予めメモリに格納されている。本実施形態では、電子媒体２００のＩＣ識別情報を特定することで、個々のチケット媒体２０を特定する構成になっている。
印刷媒体２０１は、役務の内容が印刷された部分２０１ａと、チケット管理サーバ３０への接続情報が印刷された部分２０１ｂと、上述したＩＣ識別情報が印刷された部分２０１ｃと、を備える。役務の内容としては、例えば、「イベント名、イベントの実施日時、イベントの実施場所」などが記載される。チケット管理サーバ３０への接続情報としては、典型的には、チケット管理サーバ３０に設定された「メールアドレス」が記載される。ＩＣ識別情報には、印刷媒体２０１と対応づけて配布される電子媒体２００が保有する「ＩＣ識別情報」が印刷される。なお、本実施形態で印刷媒体２０１に印刷されるＩＣ識別情報は、電子媒体２００に格納されたＩＣ識別情報自体もしくはこのＩＣ識別情報と１対１で対応付けられた所定の情報が印刷される。また、このＩＣ識別情報は、銀色等の不透明なインキで形成された所定の隠蔽層で隠蔽されている。ユーザは、印刷媒体２０１の表面に形成されているこの隠蔽層をコイン等で削り取ることによって、ＩＣ識別情報を出現させることができる。
図１に戻り説明を続ける。チケット２０を入手したユーザのうち、印刷媒体２０１に記載された役務内容に興味を持ったユーザは、後述する所定の手順に従い、例えば手元の携帯端末機１０からＩＣ識別情報とユーザの個人情報を含む登録情報をノベルティチケット管理サーバ３０に送信する（図１（２））。ＩＣ識別情報を受信したノベルティチケット管理サーバ３０は、受信したＩＣ識別情報に対する有効化処理を行いその結果を管理ＤＢ３０１に登録するとともに、受信した登録情報をユーザＤＢ３０２に登録する（図１（３））。これにより、ＩＣ識別情報の有効化すなわち電子媒体２００の登録が完了し、電子媒体２００は、チケットとしての有効性（有料役務提供義務）を有することになる。換言すれば、ユーザは、この登録処理によりチケットを購入することができる。
また、ノベルティチケット管理サーバ３０は、登録処理を終えたユーザに対して所定のノベルティを提供する。ノベルティの提供としては、例えば、ノベルティＤＢ３０３に格納されているノベルティデータ（例えば、壁紙・待ち受け画面・着信メロディ等のコンテンツ）をユーザの携帯端末機１０に送信する（図１（４））。これにより、チケットの登録処理を終えたユーザは、イベントに関係する各種オリジナルコンテンツを無料で入手することができる。また、チケットの登録処理を終えたユーザは、媒体２０から電子媒体２００を取り外し、手元の携帯端末機１０に所定の方法で取り付ける（図１（５））。図２（Ｂ）は、媒体２０から取り外された電子媒体２００が、携帯端末機１０に取り付けられた様子を示す図である。なお、電子媒体２００には、携帯端末機１０に取り付けるための所定の取付手段が予め設けられている。ここでは、貼付により取り付ける構成となっているため、取付手段は貼付機能を備えた両面シールが採用されている。両面シールの片面は電子媒体２００に予め貼付されており、他の面はカバーによって覆われている。ユーザがそのカバーを外すことで電子媒体２００は携帯端末機１０に貼付される。ユーザは、イベント当日に会場で携帯端末機１０に取り付けられた電子媒体２０を提示すればよいので、チケット管理が楽になる。
なお、電子媒体２００は、電磁波を遮断する機能を有する電磁波遮断手段（電磁波シールド）を備えることが望ましい。電磁波シールドは、電子媒体２００が携帯端末機１０に取り付けられた際に、電子媒体２００と携帯端末機１０との間に介在するように電子媒体２００に設けられる。取付手段が両面シールの場合は、両面シールの片面と電子媒体２００との間に所定の電磁波シールドが介在するように設けられる。なお、電磁波シールドは、既知のものを利用することができる。これによれば、電子媒体２００を携帯端末機１０に取り付けた場合でも、電子媒体２００と携帯端末機１０との間に電磁波シールドが介在するので、電子媒体２００のＩＣチップと携帯端末機１０間における電磁波の干渉を防止することが可能になる。
そして、イベント当日にイベント提供場所に赴いたユーザが、携帯端末機１０に取り付けられた電子媒体２００を認証端末装置４０が備える読取装置（リーダ）にかざすと、読取装置が電子媒体２００のＩＣチップからＩＣ識別情報を読み取る（図１（６））。認証端末装置４０は、読取装置が読み取った電子媒体２００のＩＣ識別情報を通信網７０を介してノベルティチケット管理サーバ３０に送信する（図１（７））。ＩＣ識別情報を受信したノベルティチケット管理サーバ３０は、管理ＤＢ３０１を参照して受信したＩＣ識別情報が有効であるか否かを判断し、その認証結果を認証端末装置４０に送り返す（図１（７））。認証結果を受信した認証端末装置４０は、その結果を認証端末装置４０の表示装置に出力する。
以上によれば、チケットを購入したユーザに対してのみデジタルノベルティとしてのノベルティデータが送信されるので、チケットの購入に伴う付加価値をユーザに提供することが可能になる。この結果、デジタル化されたチケットに付加価値を与えることができるようになるので、イベントに参加するファンや来場者の「楽しみたい」という要求を十分に満たすことが可能になる。
また、ＩＣチップに記録された識別情報を用いてチケットの有効性を認証する構成であるためチケットの安全性を確保することができるとともに、登録処理を介してユーザの携帯電話機を特定することができるようになる。
［電子媒体登録処理］
図３は、ノベルティチケット管理サーバにおける電子媒体登録手段またはノベルティ配信手段の制御プログラムの処理内容の概要を表したフローチャートである。まず、印刷媒体２０１に記載された役務内容に興味を持ったユーザは、そこに記載されたメールアドレスに対して空の電子メールを携帯端末機１０から送信する。
電子媒体登録手段は、ユーザの携帯端末機１０から送られる空の電子メールを受信すると（ＳＴＥＰ３０１）、登録用のＵＲＬを含む電子メールをユーザのメールアドレスに対して返信する（ＳＴＥＰ３０２）。この電子メールは、ユーザがハイパーリンクされた表示されたＵＲＬを指示することにより、携帯端末機１０がそのＵＲＬに対してリクエスト要求を送信可能なように構成される。ハイパーリンク先としてはノベルティチケット管理サーバ３０が指示されている。
電子媒体登録手段は、ユーザがハイパーリンクされたＵＲＬを指示することにより（またはＵＲＬを直接入力することにより）携帯端末機１０から送られるリクエスト要求を受信すると、そのＵＲＬに対応付けられた所定の登録フォーム（登録用の画面）を携帯端末機１０に対して送信する（ＳＴＥＰ３０４）。登録フォームを受信した携帯端末機１０は、その登録フォームを画面に表示する。図示しない登録フォームは、ＩＣ識別情報を入力するためのフィールドと、ユーザの登録情報（例えば、パスワードやユーザの個人情報）を入力するフィールドを備える。ユーザがこれらのフィールドに情報を入力して送信指示を携帯端末機１０に入力すると、携帯端末機１０は、入力されたＩＣ識別情報や登録情報をＩＣ識別情報に送信する。
電子媒体登録手段は、ユーザの携帯端末機１０から送られるＩＣ識別情報と登録情報を受信すると（ＳＴＥＰ３０５）、受信したＩＣ識別情報に従って管理データベース３０１のチケット管理テーブルを参照する（ＳＴＥＰ３０６）。
ここで、図４を用いて管理データベース３０１のデータ構造について簡単に説明する。図４（Ａ）は、管理データベース３０１が備えるチケット管理テーブルのデータ構造を説明するための図である。同図に示すように、ＩＣ識別情報によって識別されるそれぞれのレコードは、有効情報およびイベントＩＤを有する。なお、これらの情報を含んで構成されるレコードをチケット管理情報とも呼ぶ。ＩＣ識別情報は、上述したとおり、個々のＩＣチップを識別するために割り当てられた情報である。ここでは、配布された電子媒体のＩＣ識別情報が格納される。有効情報は、ＩＣ識別情報（つまり電子媒体）が有効か否かを示す情報であり、ＩＣ識別情報が有効である場合は「ＯＮ」が、有効でない場合は「ＯＦＦ」が格納される。電子媒体の製造出荷および配布された時点では、電子媒体は無効であるので、これに対応する有効情報には「ＯＦＦ」が格納され、ユーザによる所定の登録処理が完了すると有効情報には「ＯＮ」が格納される。イベントＩＤは、ＩＣ識別情報に対応する電子媒体が提供する役務を識別するための役務識別情報である。複数のイベントについて電子媒体を配布した場合には、それぞれ対応するイベントＩＤが格納される。
ＳＴＥＰ３０６に戻り説明を続ける。電子媒体登録手段は、受信したＩＣ識別情報とチケット管理テーブルのＩＣ識別情報を照合し、一致した場合は（ＳＴＥＰ３０７のＹｅｓ）、対応する有効情報にＯＮを設定する（ＳＴＥＰ３０８）。これにより、このＩＣ識別情報が有効化される。また、受信した登録情報をＴＣ識別情報と対応付けてユーザデータベース３０２に登録する（ＳＴＥＰ３０９）。
ここで、ユーザデータベース３０２のデータ構造について図５を用いて説明する。図５は、ユーザデータベース３０２のデータ構造を説明するための図である。同図に示すように、ＩＣ識別情報によって識別されるそれぞれのレコードは、ユーザより入力されたパスワード、そのユーザの氏名、住所、携帯電話番号およびメールアドレスからなる個人情報を有する。なお、これらの情報を含んで構成されるレコードをユーザ情報と呼ぶ。ここでは、登録処理の際に、ユーザの携帯電話番号を登録している。よって、電子媒体のチケット料金を電話料金としてユーザに請求するように電子媒体の決済処理を行うことも可能である。
ＳＴＥＰ３０９に戻り説明を続ける。電子媒体登録手段は、登録情報のユーザデータベース３０２への登録が終了すると、登録が完了した旨の電子メールをユーザのメールアドレスに対して送信する（ＳＴＥＰ３１０）。電子媒体登録手段により登録処理が完了すると、ノベルティ配信手段が、管理データベース３０１のノベルティ配信条件テーブルを参照して登録が終了したユーザにデジタルノベルティを送信する（ＳＴＥＰ３１１）。
ここで、図４（Ｂ）を用いてノベルティ配信条件テーブルのデータ構造について簡単に説明する。図４（Ａ）は、管理データベース３０１が備えるノベルティ配信条件テーブルのデータ構造を説明するための図である。同図に示すように、イベントＩＤによって識別されるそれぞれのレコードは、ＩＣ識別情報と、イベント日、配信条件１〜３を有する。なお、これらの情報を含んで構成されるレコードをノベルティ配信条件情報と呼ぶ。ＩＣ識別情報は、イベントＩＤに関連づけられた全てのＩＣ識別情報が該当する。配信条件には、イベントＩＤに対応して配信されるべきデジタルノベルティのノベルティＩＤが格納される。ノベルティＩＤについては後述する。なお、デジタルノベルティを配信する際の条件が複数ある場合は、複数の配信条件を設定することができる。本実施形態では、時間的条件に応じて異なるデジタルノベルティを配信するために、配信条件１〜３が設定されている。具体的には、配信条件１に「電子媒体を登録した時」、配信条件２に「イベント実施日の所定日数前」、配信条件３に「イベント実施後」という条件が設定されている。なお、デジタルノベルティの配信条件は、イベントの内容やコンテンツの内容などに応じて任意に設定することができる。
ここで、ノベルティＩＤについて説明する。ノベルティＩＤとは、ノベルティデータベース３０３に格納されたノベルティデータを識別するための識別情報である。図６に示すように、各種コンテンツとしてのデジタルノベルティを格納するノベルティデータベース３０３は、ノベルティＩＤとノベルティデータとを対応付けて格納している。ノベルティデータは、携帯電話機１０にて可読可能な形式で保存された画像データ（動画、静止画）、映像データ、文字データ、音源データなどが該当する。
ＳＴＥＰ３１０に戻り説明を続ける。ノベルティ配信手段は、登録が完了した旨の電子メールを送信すると、チケット管理テーブルから登録したＩＣ識別情報に対応するイベントＩＤを特定する。そして、ノベルティ配信条件テーブルからこの特定したイベントＩＤに関連づけられた配信条件１に格納されたノベルティＩＤを抽出する。そして、抽出したノベルティＩＤに従って対応するノベルティデータをノベルティデータベース３０３から読み出して、これをユーザのメールアドレスに対して送信する。図７は、ノベルティデータを受信した携帯端末機１０の画面の一例を示す図である。これによれば、登録を終えたユーザだけが、デジタルノベルティとして送信されるイベントに関連するコンテンツを取得して楽しむことができるようになる。また、登録を終えたユーザに対して、イベントに関連する付加価値を容易に提供することができるようになる。
［電子媒体認証処理］
図８は、ノベルティチケット管理サーバにおける電子媒体認証手段またはノベルティ配信手段の制御プログラムの処理内容の概要を表したフローチャートである。まず、役務提供場所に設置された認証端末装置４０が備える読取手段は、ユーザが提示した電子媒体２００が内蔵するＩＣチップと所定の無線通信を行うことにより、ＩＣチップが保持するＩＣ識別情報を取得する。そして、認証端末装置４０は、読取手段が読み取ったＩＣ識別情報を含む認証要求をノベルティチケット管理サーバ３０に送信する。
認証端末装置４０から送られる認証要求を通信手段を介して受信した電子媒体認証手段は（ＳＴＥＰ８０１）、管理ＤＢ３０１のチケット管理テーブルを参照し（ＳＴＥＰ８０２）、受信したＩＣ識別情報が有効であるか否かを判断する（ＳＴＥＰ８０３）。具体的には、受信したＩＣ識別情報に従ってチケット管理テーブルを検索し、対応する有効情報を取得する。そして、取得した有効情報が登録済を意味する「ＯＮ」である場合には、当該ＩＣ識別情報は有効であると判断し（ＳＴＥＰ８０３のＹｅｓ）、チケットが有効である旨を認証端末装置４０に返信する（ＳＴＥＰ８０４）。
また、ノベルティ配信手段は、上述したようにチケット管理テーブルから照合したＩＣ識別情報に対応するイベントＩＤを特定する。そして、ノベルティ配信条件テーブルからこの特定したイベントＩＤに関連づけられた今度は配信条件３に格納されたノベルティＩＤを抽出する。そして、抽出したノベルティＩＤに従って対応するノベルティデータをノベルティデータベース３０３から読み出して、これをユーザのメールアドレスに対して送信する（ＳＴＥＰ８０５）。
なお、電子媒体認証手段は、取得した有効情報が未登録を意味する「ＯＦＦ」である場合には、当該ＩＣ識別情報は無効であると判断し（ＳＴＥＰ８０３のＮｏ）、チケットが無効である旨を認証端末装置４０に返信する（ＳＴＥＰ８０６）。
なお、上記処理では、受信したＩＣ識別情報に従ってチケット管理テーブルを検索し、対応する有効情報を取得することによってＩＣ識別情報の認証を行なう場合について説明した。しかし、ＩＣ識別情報の認証は、当該手順に限られず、例えば、受信したＩＣ識別情報に対応するユーザの個人情報が登録されている場合に、受信したＩＣ識別情報が有効であると判定してもよい。
以上によれば、電子媒体２００が内蔵するＩＣチップの識別情報に基づいて入場時のチケットの有効性を容易に判断することができるとともに、チケット購入に伴うデジタルノベルティをユーザに容易に配信することができるようになるので、ＩＣチップと携帯電話の利点を生かしたチケッティング・システムを実現することができるようになる。
［その他の実施の形態］
なお、上記実施の形態では、各処理をシーケンシャルに説明したが、動作に矛盾が生じない限り、処理の順序を入れ替えまたは並行動作するように構成しても良い。
（１）上記実施形態では、チケット２０の出荷あるいは配布時点において、電子媒体２００は印刷媒体２０１に貼付された状態で添付されている。しかし、電子媒体２００と印刷媒体２０１とが、１のケースに収容されて配布されるなどユーザが一緒に入手可能な構成であれば、電子媒体２００は印刷媒体２０１に貼付されていなくてもよい。
（２）また、上記実施形態では、電子媒体２００の取り付け対象は携帯端末機１０であり、電子媒体２００には、電子媒体２００を携帯電話機１０に貼付するための貼付手段としてシールを用いている。しかし、電子媒体２００を携帯電話機１０に取り付ける方法はこれに限られない。例えば、携帯端末機１０に予め設けられているストラップ取り付け用の穴に通すための紐状の部材を、電子媒体２００に設けても良い。また、電子媒体２００を携帯電話機に使用可能な所定のアクセサリとして構成してもよい。さらにまた、既存のアクセサリの外部あるいは内部に設けてもよい。また、上記実施形態では、非接触型ＩＣカードを適用したが、接触型ＩＣカードを用いてもよい。
（３）また、ノベルティチケット管理サーバ３０は、チケット２０を配布した主催者側の端末装置から通信網を介してノベルティチケット管理サーバ３０の管理ＤＢ３０１やユーザＤＢ３０２に対するアクセスを受け付けて、登録状況や入場状況を提供するように構成してもよい。これによれば、主催者側は、チケット２０の配布の効果測定や利用状況を正確に把握することができるようになる。
本発明によれば、デジタル化されたチケットにユーザを楽しませるための付加価値を与えることができる新しいチケッティング・システムを提供することができるようになる。
なお、本出願は、下記の日本国特許出願に関連する。文献の参照による組み込みが認められる指定国については、下記の出願に記載された内容を参照により本出願に組み込み、本出願の記載の一部とする。
特願２００３−１５８１１５号（出願日２００３年６月３日）。
【図１】
2004109605.tif 000003
【図２】
2004109605.tif 000004
【図３】
2004109605.tif 000005
【図４】
2004109605.tif 000006
【図５】
2004109605.tif 000007
【図６】
2004109605.tif 000008
【図７】
2004109605.tif 000009
【図８】
2004109605.tif 000010
【国際調査報告】
2004109605.tif 000011
2004109605.tif 000012